Podtech/llm-jp-corpus-v4-ja_patent huggingface dataset:
(57)【要約】      （修正有）【課題】保温性にすくれた毛布の提供。【解決手段】（１）掛け毛布の外側に付けた６ヶ所の大きなポケットに温度差により１枚から６枚の使い捨てカイロを入れて、保温性を保ち、又使い捨てカイロをポケットに入れることで低温やけどを防止する。（２）敷き毛布と掛け毛布を重ね足元中央より左右両側を通り肩から首までファスナーで縫い合わせ袋状にした。（３）ファスナーで縫い合わせたので全開が出来、洗濯時には１枚１枚に離すことが出来る。以上の特徴を持つポカポカヌクヌク毛布。【選択図】図１
0003115225.tif 000002
【実用新案登録請求の範囲】
【請求項１】
敷き毛布と上掛け毛布を二重にし、足元中央より左右両側から肩を通り首近くまで全体をファスナーで袋状にした、洗濯時は１枚１枚に離すことを特徴としたポカポカヌクヌク毛布。
【請求項２】
上掛け毛布の外側の足元近くに大きなポケットを６ヶ所付け寒さに応じホッカイロを入れ保温の調整が出来、ホッカイロによる低温やけどを防ぐ機能性を持たせたことを特徴とした請求項１記載のポカポカヌクヌク毛布。
【考案の詳細な説明】
【技術分野】
【０００１】保温効果を持たせた毛布。
【背景技術】
【０００２】１枚の毛布だと寝返りをした時布団の中に冷気が入り温度を保つことに不備があった。
【考案の開示】
【考案が解決しようとする課題】
【０００３】冷気を防ぎ毛布の保温効果を維持させる考案。
【課題を解決するための手段】
【０００４】敷き毛布と上掛け毛布の外側の足部近くに６ヶ所の大きなポケット（
【図１】
５，６，７，８，９，１０）を付けた毛布を重ね、足元中央近くより両左右外側から首肩近くまで２本のファスナー（
【図１】
３，４）を付け袋状にしたことを特徴としたポカポカヌクヌク毛布。
【考案の効果】
【０００５】２枚の毛布をファスナーで袋状に縫い合わせ、全開すれば１枚ずつ離し別々に洗濯が出来ることを特徴としたポカポカヌクヌク毛布。
【考案を実施するための最良の形態】
【０００６】２枚の毛布をファスナーで首近くまで袋状にし、寒さの度合いによって６ヶ所の大きなポケットにホッカイロを入れ保温の調整が出来る又、ポケットを付けたことでホッカイロ使用時の低温やけどを防ぐ機能性を持たせた事を特徴としたポカポカヌクヌク毛布。
【実施例】
【０００７】本考案の一実施の形態を図１を用いて説明をする、（
【図１】
１）敷き毛布と掛け毛布外側（
【図１】
５，６，７，８，９，１０）につけた大きなポケット（
【図１】
２）上掛け毛布を重ねファスナー（
【図１】
３，４）で袋状にし、自由に全開が出来る機能性を持たせたポカポカヌクヌク毛布。
【産業上の利用可能性】
【０００８】上掛け毛布の外側に大きなポケットを６ヶ所付けた上掛け毛布と下敷き毛布をファスナーで首近くまで重ね縫いし袋状にした製品は無く企業として期待が大である。
【図面の簡単な説明】
【０００９】図１は敷き毛布と掛け毛布の外側に６ヶ所の大きなポケットを付けた、２枚の毛布を重ねファスナーで縫い合わせ、袋状にした図面。
【符号の説明】
【００１０】  １    敷き毛布
２    上掛け毛布
３    敷き毛布と掛け毛布を重ね中央足元より左側から左肩を通り首までのファスナー
４    敷き毛布と掛け毛布を重ね中央足元より右側から右肩を通り首までのファスナー
５    上掛け毛布外側に付けたポケットの位置
６    上掛け毛布外側に付けたポケットの位置
７    上掛け毛布外側に付けたポケットの位置
８    上掛け毛布外側に付けたポケットの位置
９    上掛け毛布外側に付けたポケットの位置
１０    上掛け毛布外側に付けたポケットの位置
【図１】
0003115225.tif 000003
【手続補正書】
【提出日】平成17年7月1日(2005.7.1)
【手続補正１】
【補正対象書類名】実用新案登録請求の範囲
【補正対象項目名】請求項２
【補正方法】変更
【補正の内容】
【請求項２】
上掛け毛布の外側の足元近くに大きなポケットを６ヶ所付け寒さに応じ、使い捨てカイロを入れ保温の調整が出来、使い捨てカイロによる低温やけどを防ぐ機能性を持たせたことを特徴とした、請求項１記載のポカポカヌクヌク毛布。
【手続補正２】
【補正対象書類名】明細書
【補正対象項目名】０００６
【補正方法】変更
【補正の内容】
【０００６】２枚の毛布をファスナーで首近くまで袋状にし、寒さの度合いによって６ヶ所の大きなポケットに使い捨てカイロを入れ、保温の調整が出来る又、ポケットを付けたことで使い捨てカイロ使用時の低温やけどを防ぐ機能性を持たせた事を特徴としたポカポカヌクヌク毛布。
(57)【要約】      （修正有）【課題】紙で作る人形に多くの動きをとても簡単に動かす仕組みを提供する。【解決手段】紙という手軽な素材を利用して、紙の台座に立体的に針金クランクを折り曲げられた物を仕込み、そこから幾つもの動きを紙棒や針金を使って伝達させることにより、両手がちがうタイミングで鍵盤を弾き、歌う人形の動きを作り出す。【選択図】図２
0003115223.tif 000002
【実用新案登録請求の範囲】
【請求項１】
動かすための台座（８）と動く人形キャラクター（３０）とで構成されております。台座内のクランク（２６）が回転しはじめると立体的に折られたクランク（２３）に伸びた紙の動かし棒が動くもの、人形の右腕（３）はクランク（２４）の回転により弧を描いて上下しピアノを弾き、また人形の左腕（２９）はクランク（２１）の回転により弧を描いて上下します。また歌う顔（１）はクランク（２３）の回転により開閉する。これら動かすクランク（２４）（２３）（２１）には円筒形のビニールが装着され動かし棒（１９）（９）（２０）を円滑に動かす役目をしております。
【請求項２】
ピアノ台の上に動く譜面の動き、クランク（２３）の回転運動を細い針金（５）に伝達し、ピアノの穴（１５）を通過しながら独自な動きを作り出します。
【考案の詳細な説明】
【技術分野】
【０００１】  この考案は紙で作れるカラクリ人形のおもちゃの動作機構に関するもの。
【背景技術】
【０００２】  従来のからく人形のおもちゃは、多くの歯車や部品を必要としていたための消費者が手軽に自分で作りからくりおもちゃの考案、創作する喜びを与えきれていなかった。
【考案の開示】
【考案が解決しようとする課題】
【０００３】  本考案の目的は、多様化する消費者の興味に答える、ゆかいでかわいい様々な動きを動かし棒を使う事により作り出す事に成功しました。
【課題を解決するための手段】
【０００４】  本考案では、台座の中に仕込まれた立体的に折り込まれたクランク部から台座上部への動かし棒を使い動きを伝えることが出来る。動かしクランク（２６）を回す事によりクランク（２４）が回転し、動かし棒を伝わり右腕（３）を弧を描いて動かす事が出来る、また左腕（２９）もクランク（２１）の回転により弧を描いて腕を動かす事が出来る。またクランク（２３）の回転により頭部（１）を動かし歌わせることが出来た。その他にもクランク（２３）の動きを頭部だけで無くピアノ（６）の上に有る譜面（４）にユニークな動きを創作する事が出来ました。クランクと動かし棒の連結部に円筒形の部品（２２）をつけることにより、動きがスムーズに動かすことが出来ました。
【考案の効果】
【０００５】  以上の説明によりこの人形は紙で手軽に作る事により、近代日本のカラクリ文化を受け継ぐおもちゃとして幅広い人達に楽しまれるてものとして想定しまた提案します。
【考案を実施するための最良の形態】
【実施例】
【０００６】  図面に基づき本考案の実施例について説明する。個別の紙のパーツ（台座８、ピアノ６、ピアニスト３０）部品を接着剤を使用して組みたてながら、人形を動かすクランク針金（２６）を台座（８）の裏側から差し込み組み立てる。左腕（２９）右腕（３）頭（１）を自由に動かすことが出来ました。この方法を使うことにより他の人形においても様々な動きを創作することが可能となります。このおもちゃは紙という人間にいちばん身近な素材を使用することにより、教材としてまたお店の動くディスプレーとしてなど、様々なところで活躍できる商品だと考えております。
【産業上の利用可能性】
【０００７】  本考案の人形は、紙という身近な素材を使用しながらも、左腕、右腕、口、譜面がランダムなタイミングで動かす事が出来ます、それは立体的なクランクを角度を変えて折ることによりピアノを弾く腕の動きを創作できることです。それに加えて細い針金を使って動きを伝え、面白い動きを表現している。
【図面の簡単な説明】
【０００８】
【図１】本考案に係わるカラクリの名称
【図２】本考案に係わる機構を解説する斜視図
【図３】本考案に係わる機構の横断面図
【図４】本考案に係わる機構の後方からの斜視図
【図５】本考案に係わる腕の動かし拡大図
【符号の説明】
【０００９】１  頭部
２  あご部
３  右腕
４  譜面
５  譜面動かし棒
６  ピアノ
７  体部
８  台座
９  頭動かし紙棒
１０  舌
１１  椅子
１２  台座の穴
１３，針金動かし取っ手
１４  取っ手キャップ
１５  ピアノの穴
１６  腕回し円筒
１７  左腕回し円筒
１８  右腕回し円筒
１９  右腕動かし棒
２０  左腕腕動かし棒
２１  左腕動かし針金クランク
２２  ストロー
２３  頭動かし針金クランク
２４  右腕動かし針金クランク
２５  針金止めキャップ
２６  動かし針金クランク
２７  接着面
２８  キャラクター
２９  左腕
３０  ピアニスト
【図１】
0003115223.tif 000003
【図２】
0003115223.tif 000004
【図３】
0003115223.tif 000005
【図４】
0003115223.tif 000006
【図５】
0003115223.tif 000007
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
紙の人形キャラクターの原版、腕（３）（２９）や頭（１）や体（７）ピアノ（６）台座（８）を貼りあわせて完成させ、それを針金のクランク棒（２６）で動かす人形であって、台座内に３ケ所のクランク（２１）（２３）（２４）を作り、腕や頭をスムーズに動かすことが出来るように、クランク各部にはビニールの筒（２２）を装着し、一本の針金の棒に対し１つ目のクランク（２１）は上に９０度曲げクランクを作り、それから２つ目のクランク（２３）は、そこからまた９０度横に寝かせてクランクを作り、３つ目のクランク（２４）は下に向け９０度のクランクを折り作り、右腕（３）は台座内の針金の３つ目のクランク（２４）が回転すると、その動きに連動して紙の腕の動かし棒（１９）が体の中に作られた腕の連結部を上下させ右腕（３）を動かし、左腕（２９）も台座内の１つ目のクランク（２１）が回転すると、それに連動して紙でできた腕の動かし棒（２０）が体の中に作られた腕の連結部を上下させ左腕（２９）を上下に動かし、両腕の回し円筒（１７）（１８）がクランクの動きで歪まないように両腕の内部に丈夫に丸めた紙の筒（１６）を入れており、頭顔（１）の動きも針金の棒で作られた３つのクランク部の２つ目のクランク（２３）が回転する事により頂上に貼られた頭動かし棒（９）を上下する力に変え口が開いたり閉まったりするのであって、クランクの３つの折り曲げ角度が違うおかげで右腕（３）、左腕（２９）、頭部（１）の動きのテンポを変えることができる、針金クランで動く紙のカラクリ人形。
【請求項２】
台座の中に装着された２つ目のクランク（２３）が回転運動を行うと、動きが細い針金（５）に伝達し、ピアノの穴（１５）を通過するとき、細い針金の柔軟性により曲線を描きピアノの上の譜面が外でも独自な円運動な動きをする、細い針金を動かすクランク誘導を特徴とする請求項１記載の針金クランクで動く紙のカラクリ人形。
(57)【要約】      （修正有）【課題】花粉や埃等が原因で鼻炎を起こしている人の症状を、マスクの中に二本の冷却ジェルシートを配置させた袋を挿入させることによって緩和するマスクであり、さらにメガネのくもり止め対策も施されている活気的なマスクである。【解決手段】ガーゼマスク１の片側を大きく開閉できるよう裁断し、冷却ジェルシート入りの袋の出し入れを簡単にできるようにした。二本の冷却シート４を配置したことにより、口と鼻を同時に冷やすことができるので、より炎症を緩和させる効果がある。又吐く息がマスクの上部に集中していかないように冷却シート入り袋に二つの切り込みを入れ、メガネがくもらないようにした。【選択図】図１
0003115228.tif 000002
【実用新案登録請求の範囲】
【請求項１】
花粉や埃等が原因で引き起こされる鼻炎の症状を口と鼻の両方を冷やして緩和するマスクである。不織布で作った袋の中に二本の冷却シートを付着させ、それをガーゼマスクに挟み込んで使用すること、マスク本体が半開きになり、手を汚さず簡単にスペアーと取り替えることができること、又袋に切り込みを入れて、メガネがくもらないようにしてあることを特徴としている。
【考案の詳細な説明】
【技術分野】
【０００１】  本考案は、ガーゼマスク本体にメガネのくもり止め対策を施してある冷却ジェルシート内蔵の袋を挟み込んで使用するものであり、花粉や埃で炎症を起こしている口と鼻を同時に冷やして炎症を緩和させるためのものである。
【背景技術】
【０００２】  従来のマスクは風邪の予防のため、口からウイルスが侵入するのを防いだり、埃や花粉が侵入するのを防ぐためだけに使用され、患部の症状に直接働きかけるものではなかった。又、マスクにくもり止めの措置がなされていなかった。
【考案の開示】
【考案が解決しようとしている課題】
【０００３】  花粉症などの理由で口や喉がかゆくなる人、絶えずクシャミや鼻水が出る人、鼻が詰まって呼吸することがつらい人は、夜熟睡することができないばかりではなく、日常の生活や仕事にも支障をきたし、大変つらい思いをしています。又、マスクとメガネの両方を使用する人は、自分の吐く息でメガネがくもり視野が妨げられ、大変煩わしい思いをしています。
【課題を解決するための手段】
【０００４】  炎症を緩和させるため、冷却シートで患部を冷やします。マスクに二本の冷却ジェルシートが入っている袋が挟み込まれるので、花粉の侵入をさらにしっかり防ぐことができます。又、シートに含まれる香料の効果で呼吸がらくになり、不快な気分が和らぎます。メガネのくもり止め対策として冷却ジェルシート入りの袋に口が当たる部位と袋の中央左はしに切り込みを入れ、吐く息がマスクの上部に集中していかないようにした。これにより、メガネがくもらなくなった。
【考案の効果】
【０００５】  本考案は、花粉等が原因で鼻炎を起こしている人の口と鼻を冷やすことにより、炎症を緩和する効果がある。しかもマスクの片側を大きく開閉できるよう裁断してあるので、手を汚さず簡単にスペアーと取り替えることができるすぐれものである。又メガネを使用している人にとって有難いくもり止めの措置がなされ、マスクをつけても快適に一日が過ごせるように考案されている。
【考案の実施するための最良の形態】
【０００６】  ガーゼマスクの片側を大きく開閉できるように裁断し、中に冷却ジェルシート入りの袋を挿入した後、マジックテープで留めるようにする。袋は、不織布が最良で、冷却シートのジェル部分が密着し、マスクの中でもしっかり固定され、型くずれしにくい。袋の内部に、二本の冷却ジェルシートが口に直接当たらないよう上下に配置し、ジェル部分を内側から貼り付ける。真ん中の口が当たる空間部分と袋の中央左はしに切り込みを入れて、吐く息の通り道をつくる。
【実施例】
【０００７】  以下、添付図面に従って実施例を説明する。
（図１）は、ガーゼマスク本体１の内側。向かって左側を開けた状態。２はマジックテープで、３は不織布で作った袋。４は３の袋の中に付着させた二本の冷却ジェルシート。５は３の袋が落ちないように縫い付けてある縫い目。
（図２）は、マスク本体に挿入する冷却ジェルシート入り袋を口が当たる側から見た図。４は冷却シートのジェル部分が袋の内側から袋に密着している状態。６は二本の冷却ジェルシートの真ん中に入れる切り込み。７は袋の中央左はしに入れる山型の切り込み。
（図３）は、冷却ジェルシート入り袋を裏側から見た図。
（図４）マスク本体を正面から見た図。５は縫い目。
【図面の簡単な説明】
【０００８】
【図１】  ガーゼマスク背面図
【図２】  冷却シート入り袋正面図
【図３】  冷却シート入り袋背面図
【図４】  ガーゼマスク正面図
【符号の説明】
【０００９】１ガーゼマスク
２マジックテープ
３不織布の袋
４冷却シート
５縫い目
６切り込み
７山型切り込み
【図１】
0003115228.tif 000003
【図２】
0003115228.tif 000004
【図３】
0003115228.tif 000005
【図４】
0003115228.tif 000006
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
花粉症や埃が原因で引き起こされる鼻炎の症状を、二本の冷却シートを付着させた不織布で作った袋をマスクの中に挟み込んで使用することにより、口と鼻の両方を同時に冷やして緩和するとともに、袋に切り込みを入れてメガネがくもらないようにしてあることを特徴としたマスク。
0003115228.tif 000007
0003115228.tif 000008
0003115228.tif 000009
0003115228.tif 000010
0003115228.tif 000011
(57)【要約】［課題］ゴミ箱の中に取り付ける袋がしっかり開き、その袋がずれ落ちなく、ゴミ箱口の袋の端が、ゴミ箱の外に出さないこと。そして、いろいろな形のゴミ箱に対応がきく道具を提供する。［解決手段］柔軟性と強度がある針金などで、ゴミ箱の内側にそった形態にすれば、ゴミ箱内の袋が良く開き、二重リングにすることでずれ落ちなくなる。そして、ゴミ箱に本考案が取り付くことで袋の端をゴミ箱内に入れることができる。さらに、いろいろな大きさや形のゴミ箱に、対応がきく形態と素材になっている。【選択図】図２
0003115233.tif 000002
【実用新案登録請求の範囲】
【請求項１】
ゴミ箱の中に取り付ける袋を支える道具で、ゴミ箱の大きさや形の違いに対応がきき、袋がずれ落ちないようしっかり固定ができる。又、袋の端がゴミ箱の外に出ないようにできる道具であり、この道具の使い方、形態、および素材などが、請求範囲となる。
【考案の詳細な説明】
【技術分野】
【０００１】  本考案は、ゴミ箱の中に取り付ける袋をしっかり固定ができる道具であり、ゴミ箱の大きさや違いに対応がきく道具に関するものである。
［背景技術］【０００２】  ゴミ箱の中に取り付ける袋は、ゴミ箱口でしっかり開いていなかったり、底が深いとずれ落ちたり、ゴミ箱の口は、袋の端が出ていて見ためが悪るかった。
［考案の開示］
［考案が解決しようとする課題］【０００３】  ゴミ箱に取り付けた袋の口がしっかり開いている。そして、底が深いゴミ箱で袋の底が付かない物でも、ゴミの重量により、袋がずれ落ちないこと。さらに、ゴミ箱の口元は、袋の端がゴミ箱の外に出ない止め方にできること。又、大きさや形の違う多くのゴミ箱に、対応ができる形態と素材にする必要がある。
［課題を解決するための手段］【０００４】  ゴミ箱口の内側にそった形態にすることで、袋の口がよく開くことになる。そして、ずれないためにゴミ箱の内側に強く反撥できる針金などを使うことが望ましい。しかし、針金１本を回すだけでは、ずれやすいので、間隔をあけた２本にして、その２本が常に水平を保つことで、ずれにくくなる。さらに、２本の針金は、水平を保ちながらも、別々に曲げたり伸ばしたり出きることによって、多くの大きさや形のゴミ箱に対応ができる。又、ゴミ箱口に出ていた袋の端は、ゴミ箱と針金に挾まれている所で、ゴミ箱内に巻き入れるとよい。
［考案の効果］【０００５】  ゴミ箱に取り付けた袋が、ゴミ箱口でしっかり開き、その袋がずれ落ちない。そして、袋の端が外に出てないので、見ばえが良くなる。
［考案の実施するための最良の形態］【０００６】  柔軟性と強度がある針金などを、ゴミ箱口の内側にそった形態にすることで、ゴミ箱に取り付ける袋が良く開き、強く支えることができる。そして、この針金は、２本で間隔をあけ接続する部品が３個あれば平行を保つことができて、ずれ落ちない。さらに、この接続部品は、２本の針金を別々に曲げてサイズを変えても、平行を保てるように横に対してだけ自由がきく形態となっている。又、接続部品が、むだな移動をしないように止め部品を付けることで、最良の形態となる。
［実施例］【０００７】  以下、添付図面に従って実施例を説明します。図１は、本考案ゴミ箱口ダブルリングの全体図である。図２（ａ）は、本考案に袋を入れて端をゴミ箱との間にして、ゴミ箱に取り付けた１例目である。図２（ｂ）は、ゴミ箱に袋を取り付けてから、中に本考案を入れる。それから、袋の端を中に入れた２例目である。【０００８】  図３（ａ）は、底の狭まった円形のゴミ箱に本考案が、その形に合わせて下のリングを狭めて使うことができる例で、図３（ｂ）は、大きな四角いゴミ箱の場合に、本考案を、二個使いゴミ箱口の形に合わせることで対応できる例となっている。
【図面の簡単な説明】
【０００９】［図１］本考案、ゴミ箱口ダブルリングの全体図である。
［図２］（ａ）は本考案ゴミ箱口ダブルリングの実施例１つ目を表わした説明図である。
（ｂ）は本考案ゴミ箱口ダブルリングの実施例２つ目を表わした説明図である。
［図３］（ａ）は本考案ゴミ箱口ダブルリングが底の狭まったゴミ箱に対応する図である。
［図３］（ｂ）は本考案ゴミ箱口ダブルリングが大きな四角いゴミ箱に対応する図である。
【符号の説明】
【００１０】１  針金
２  接続部品
３  止め部品
４  袋
５  ゴミ箱
【図１】
0003115233.tif 000003
【図２】
0003115233.tif 000004
【図３】
0003115233.tif 000005
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
［書類名］    実用新案登録請求の範囲
［請求項１］
ゴミ箱口にそった針金の二つを、上下平行に接続部品で接続した形状であり、接続部品は、３個あり上部が２点下部が１点で針金とつながっているゴミ箱の中に取り付ける袋を支える道具。
(57)【要約】【課題】  本考案は、従来水平方向に装着されていた拡大鏡のグリップの形態を、縦型にし、より人間の手の自然な動きに合わせた角度に傾斜させ、使いやすい拡大鏡を可能にする。【解決手段】  本考案は、縦型のグリップの下端に拡大鏡を装着し、さらにグリップを垂直の位置から外側に１０度から２０度前後適宜角度に傾けて装着することで、従来の水平方向にグリップが装着された拡大鏡よりも、持ちやすく、操作しやすい拡大鏡を実現する。従って、特に高齢者にとって使いやすく、福祉や生活利便の向上に役に立ち、さらに、グリップを折りたたみ式にすれば、収納や携帯にも便利である。【選択図】  図１
0003115234.tif 000002
【実用新案登録請求の範囲】
【請求項１】
発泡性ゴム等適宜素材で形成した縦型のグリップの下端に、ガラス等適宜素材で形成した拡大鏡を装着し、グリップを垂直の位置から外側に１０度から２０度前後適宜角度に傾けて装着した、縦型グリップ式拡大鏡。
【請求項２】
請求項１のグリップを蝶番で拡大鏡に装着し、蝶番は、グリップが垂直の位置から外側に１０度から２０度前後適宜角度に傾いて固定するように装着して、グリップを折りたたみ式にした、請求項１の縦型グリップ式拡大鏡。
【請求項３】
請求項１、請求項２の縦型グリップ式拡大鏡のグリップに、さらに持ちやすくする為、ゴム等適宜素材で作った、ベルトやバンド等リング状やフック状等適宜形状のグリップ補助具（取っ手）を装着した、請求項１、請求項２の縦型グリップ式拡大鏡。
【考案の詳細な説明】
【技術分野】
【０００１】  本考案は、人間の自然な手の形態や角度に合わせて、グリップを適宜な角度を持つ縦型に装着した、縦型グリップ式拡大鏡である。
【背景技術】
【０００２】  従来の拡大鏡のグリップは、水平方向に装着されていて、使用する際、手首や肘等にも角度をつける必要等があり、不自然な筋肉を使ったり、特に、行数の多い文章を読む時等に、レンズの一定焦点距離内を維持しながら拡大鏡を持ち続けるのは難しく、不自然な筋肉を使う等、不便だった。スタンド式の拡大鏡もあったが、本等の対象物を机等から起こして読む際等には、使いにくかった。しかし、人間の自然な手の形や位置に合わせた縦型のグリップを用いて、グリップの下端に拡大鏡が装着された器具はなかった。
【考案の開示】
【考案が解決しようとする課題】
【０００３】  従来の水平方向にグリップが装着された拡大鏡は、グリップの先端に装着された拡大鏡の重みで傾こうとするグリップを、水平に保とうと力を入れながら使用せねばならず、不自然な筋肉を使う等、特に筋力が衰えた高齢者には使い難かった。従って、グリップを縦型にし、グリップの下端に拡大鏡を装着し、グリップを垂直の位置から外側に１０度から２０度前後適宜角度に傾けて装着することにより、拡大鏡の重さの掛かるバランスを改善し、体への負担を少なくする形態にすることにより、前述の欠点を解決するものである。
【課題を解決するための手段】
【０００４】  本考案は、縦型のグリップの下端に拡大鏡を装着し、グリップを垂直の位置から外側に１０度から２０度前後適宜角度に傾けて装着する。グリップを傾けることにより、力のバランスがよく、従来より持ちやすく操作しやすい形になる。又、傾けることで、グリップを握った時に、指が邪魔して拡大鏡が見えなくなることがない。よって、最も自然に親指を上にして握った拳の形で縦型グリップを握るので、必要以上に筋肉等を使わずに握ることができ、拡大鏡を楽に操作できる。さらに、グリップの下端に拡大鏡を装着したことにより、使用者の目と拡大鏡の距離を一定に安定して保つことができ、又、拡大鏡と対象物との距離を自由に調節でき、対象物も水平に限らず、どんな角度の対象物でも、使用することができ、前述の欠点を解決するものである。
【考案の効果】
【０００５】  上述の様に、本考案の縦型グリップ式拡大鏡は、グリップが縦型に裝着されている為、従来の拡大鏡より、人間の自然な手の位置に合った形で、拡大鏡を使用できる。又、従来の水平方向にグリップが装着された拡大鏡よりも、力のバランスがよく、持ちやすく、操作しやすい。さらにグリップの下端に拡大鏡を装着したことにより、一定した距離を安定して保ち、自由に拡大鏡と対象物との距離を調節でき、対象物も水平に限らず、どんな角度の対象物でも、使用することができる。よって、特に筋力の衰えた高齢者には、拡大鏡を持つのに要する体への負担が軽減され、福祉や生活利便の向上に役に立つ。又、グリップを折りたたみ式にすれば、収納や携帯にも便利である。
【考案を実施するための最良の形態】
【０００６】  縦型のグリップ５の下端に拡大鏡６を装着する。グリップ５は、握りやすい発泡性ゴム等適宜素材で形成し、グリップを垂直の位置から外側に１０度から２０度前後適宜角度に傾けて装着する。拡大鏡はガラス等適宜素材で形成する。
【実施例】
【０００７】  以下本考案を限定することを目的としない、本考案の実施例を、添付図面１、２、３、４に従って説明する。本実施例は、グリップ５に拡大鏡６を蝶番７で装着した、折りたたみ式の場合である。まず、グリップ５を、発泡性ゴム等適宜素材で形成する。グリップ５の下端に蝶番７を装着し、拡大鏡６に装着する。拡大鏡６はガラス等適宜素材で形成する。蝶番７は、グリップが垂直の位置から外側に１０度から２０度前後適宜角度に傾いて固定するように装着する。９０度で固定する蝶番の場合、グリップ５を１０度から２０度前後適宜角度に傾けて装着する。【０００８】  グリップ５は、蝶番７を装着しやすくする為、台座８を設ける。台座８の適宜な場所に、携帯や保管等に便利な紐を装着する為の穴１５を設け、紐１６を装着する。穴１５は、台座８以外の適宜な場所に設けることもできる。【０００９】  グリップ５には、さらに持ちやすくする為、ゴム等適宜素材で作った、ベルトやバンド等リング状やフック状等適宜形状のグリップ補助具（取っ手）１１を装着すれば尚可。【００１０】  さらに、拡大鏡を保護する為の布、プラスチック、合成樹脂等適宜素材で作ったケースを装着すれば尚可。【００１１】  本考案の一実施例は上述の如き構成からなるものであるから、より人間の自然な手の位置や動きに合った、使いやすい縦型グリップ式拡大鏡を可能にした。
【図面の簡単な説明】
【００１２】
【図１】縦型グリップ式拡大鏡の実施例の斜視図
【図２】縦型グリップ式拡大鏡の実施例の側面図
【図３】縦型グリップ式拡大鏡の実施例の上面図
【図４】縦型グリップ式拡大鏡の実施例のグリップを折り畳んだ時の側面図
【符号の説明】
【００１３】５  グリップ
６  拡大鏡
７  蝶番
８  グリップの台座
１１  グリップ補助具
１５  紐を通す穴
１６  紐
【図１】
0003115234.tif 000003
【図２】
0003115234.tif 000004
【図３】
0003115234.tif 000005
【図４】
0003115234.tif 000006
(57)【要約】      （修正有）【課題】硬貨が邪魔にならない様に、常時携帯保持する携帯硬貨保持具の提供。【解決手段】複数の硬貨を保持出来るくぼみ部のある本体に、硬貨が落下するのを防止するツメ部をくぼみ部に有し、硬貨をツメ部より奥にくぼみ部に入れる事により落下を防ぎ保持する事が出来、本体外側をツマム事によりツメ部が広がり硬貨を取り出す、ツメ部が容易に広がる様にくぼみ底部には穴を開ける、本体に携帯する為のリング取り付け穴をくぼみ部の外に有する、携帯硬貨保持具。本体１０に硬貨の直径に等しい寸法２と、寸法が硬貨の直径よりも長くした寸法３を有するくぼみ部１と、ツメ部４により硬貨の落下を防ぎ、寸法３の本体１０外側をツマム事により硬貨の取り出しが出来る携帯硬貨保持具。【選択図】図１
0003115240.tif 000002
【実用新案登録請求の範囲】
【請求項１】
本体に複数枚の硬貨を保持しうるくぼみ形状（以後くぼみ部）を有し、硬貨が落下するのを防止するツメ部をくぼみ部に有し、硬貨をくぼみ部のツメ部より奥に入れる事により、落下を防ぎ保持する事が出来る、携帯硬貨保持具。
【請求項２】
本体外側をツマム事により、ツメ部が広がり硬貨の取り出しが容易に出来る、金属及び合成樹脂を切削で造る時の、くぼみ部底の穴形状を有した、携帯硬貨保持具。
【請求項３】
本体外側をツマム事により、ツメ部が広がり硬貨の取り出しが容易に出来る、合成樹脂を成型で造る時の金型を考慮した、くぼみ部底の穴形状を有した、携帯硬貨保持具。
【請求項４】
本体の携帯を容易にする為のリング取り付け穴をくぼみ部の外に有した、携帯硬貨保持具。
【考案の詳細な説明】
【技術分野】
【０００１】  本考案は、硬貨を常時携帯する携帯硬貨保持具に関する。
【背景技術】
【０００２】  従来外出時、自動販売機用、公衆電話（地震等緊急時）用に少額硬貨を常時携帯所持する適当な道具が見当たらない。
【考案の開示】
【考案が解決しようとする課題】
【０００３】  しかし、従来のように硬貨を持ち歩くには、財布、小銭入れ、そのままポケットへと、何かと不便である。
【課題を解決するための手段】
【０００４】  そこで、複数の硬貨を保持しうるくぼみ部のある本体と、硬貨が落下するのを防止するツメ部を、くぼみ部の内側両端上部に有し、種類の異なる硬貨を複数枚組み合わせて、ツメ部より奥に入れる事により、落下を防ぎ保持する事が出来る、本体外側をツマム事により、内側両端のツメ部が、硬貨の直径より広くなり、硬貨の取り出しが容易になる、携帯を容易にする為のリング用穴をくぼみ部より外部に本体に設ける。
【考案の効果】
【０００５】  よって、本考案の携帯硬貨保持具により、外出時、自動販売機用、公衆電話用（地震等緊急時）に少額硬貨の持ち歩きが容易になる。
【考案を実施するための最良の形態】
【０００６】  本体１０くぼみ部１に硬貨の直径に等しい寸法２と、それに直角に対した、寸法が硬貨の直径よりも長くした、寸法３を有する、硬貨が入りうるくぼみ部１と、硬貨が落下するのを防止するツメ部４を、寸法２の内側両端上部に有し、硬貨をくぼみのツメ部４より奥に入れる事により、複数枚の硬貨のうち先に直径の小さいもの、最後に一番直径の大きな硬貨を入れる事によって種類の異なる硬貨の組み合わせも出来、落下を防ぎ保持する事が出来る、本体１０の寸法３の外側をツマム事により、寸法２の内側両端上部のツメ部４が、硬貨の直径より広くなり、硬貨の取り出しが出来る、くぼみ部１の底部にはツマんだ時、楽にツメ部４が広がる様に穴５や穴６の様な形状部を設ける、携帯を容易にする為のリング用穴７をくぼみ部１より外部に本体１０に設ける。
【図面の簡単な説明】
【０００７】
【図１】  本考案に係る携帯硬貨保持具の平面図である。
【図２】  本考案に係る硬貨の落下防止するツメ部の携帯硬貨保持具の断面図である。
【図３】  本考案、請求項２に係るくぼみ底部穴形状の携帯硬貨保持具の裏面図である。
【図４】  本考案、請求項３に係るくぼみ底部穴形状の携帯硬貨保持具の裏面図である。
【図５】  硬貨を入れる時のイメージ図である。
【図６】  硬貨を取り出す時のイメージ図である。
【符号の説明】
【０００８】  １    くぼみ部
２    硬貨の直径と等しいくぼみ部の内寸
３    ２に直角に対する硬貨の直径より長いくぼみ部の内寸
４    硬貨の落下防止ツメ部
５    金属、合成樹脂で切削加工で造るときの、くぼみ部底穴形状
６    合成樹脂で成型加工で造る時の、くぼみ部底穴形状
７    携帯を容易にする為のリング用穴部
１０    本体
【図１】
0003115240.tif 000003
【図２】
0003115240.tif 000004
【図３】
0003115240.tif 000005
【図４】
0003115240.tif 000006
【図５】
0003115240.tif 000007
【図６】
0003115240.tif 000008
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
本体に複数の硬貨を保持しうる、硬貨の直径（以後短径）とそれより長い寸法（以後長径）の長円の、くぼみ形状（以後くぼみ部）を有し、硬貨が落下するのを防止するツメ部を短径くぼみ部に有し、硬貨をくぼみ部のツメ部より奥に入れる事により、落下を防ぎ保持する事が出来る、長径外側をツマム事により、ツメ部短径が広がり硬貨の取り出しが出来、くぼみ底に穴部を有する、携帯硬貨保持具。
【請求項２】
請求項１記載の本体のくぼみ底穴部形状について、本体外側をツマム事により、ツメ部が広がり硬貨の取り出しが容易に出来る、金属及び合成樹脂を切削で造る時の、くぼみ部底の穴形状を有した、携帯硬貨保持具。
【請求項３】
請求項１記載の本体のくぼみ底穴部形状について、本体外側をツマム事により、ツメ部が広がり硬貨の取り出しが容易に出来る、合成樹脂を成型で造る時の金型を考慮した、くぼみ部底の穴形状を有した、携帯硬貨保持具。
【請求項４】
請求項１記載の、本体の携帯を容易にする為のリング取り付け穴をくぼみ部の外に有した、携帯硬貨保持具。
(57)【要約】      （修正有）【課題】ペットが転倒したり噛んだりできない自動給餌装置を提供する。【解決手段】餌箱２と外ケース３を一体型として、本体から取り外しが出来るようにした。餌箱の側面に排出孔６があり、外ケースで排出孔が塞がれている。餌箱は、餌の投入は上の位置、排出は下の位置で行われる、上の位置はバネ板にて掛止めされ、設定時刻に電磁器具でバネ板が解除され下の位置に下がり排出孔が開き餌が排出される。外ケースには電源コードの噛み切り防止の太い鉄線ラセンコイルが取付けてあり、設定時刻にメロデーが出力する。【選択図】図１
0003115238.tif 000002
【実用新案登録請求の範囲】
【請求項１】
タイマーを備えた電動装置にて、設定時刻にペット類に餌を与える給餌装置に於いて多数個の餌箱の餌排出口は下部縦面に有り、多数個の餌箱の外周は排出口を塞ぐ４角の外ケースを有しバネ板で掛止めされ餌箱は保持される、餌排出時は掛止めが解除され餌箱が所定位値まで下がると排出口が確保され餌が排出される、餌箱と外ケースは、装置本体から外して持ち去り別場所で餌の補充が出来る事を特徴とする給餌装置。
【請求項２】
同給餌装置に於いて、金属太線コイルのパイプを本体より長めに設置し、その中に電源コードを通すこと。
【請求項３】
同給餌装置に於いて、タイマー設定時の動作確認及び通常使用時の餌排出時に、メロデーを発生させること。
【考案の詳細な説明】
【技術分野】
【０００１】  本考案は、ペット用給餌装置の餌箱部を餌箱カートリッジ方式にした物である。
［背景技術］【０００２】  ペット用給餌装置は、動物が給餌装置を転倒したり噛んだりする為、殆ど市販されていないのが背景にある。
［考案の開示］
［考案が解決しようとする課題］【０００３】  ペットのいたずらに負けず、更に留守以外の在宅時でも日常的に使用してもらおうとするものである。
［考案が解決するための手段］【０００４】  本考案は、餌箱と外ケースを一体型として、本体から取り外しが出来るようにしたこと、個々の説明として、餌箱の側面に排出孔があること、外ケースで排出孔が塞がること、餌箱は、餌の投入は上位置、排出は下位置で行われる、上位置はバネ板にて掛止めされ設定時刻に電磁器具で解除され排出される、外ケースには電源コードの噛み切り防止の太い鉄線ラセンコイルが取付いていること、設定時刻にメロデーが出力すること。
【図面の簡単な説明】
【０００５】［図１］  本考案の説明を示す全体斜視図である。
［図２］  構造を示す斜視図である。
【符号の説明】
【０００６】  １  給餌装置本体
２  餌箱
３  外ケース
４  タイマー
５  鉄線ラセンコイル
６  排出口
７  餌箱排出孔
８  底板
９  バネ板掛け止め
【図１】
0003115238.tif 000003
【図２】
0003115238.tif 000004
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
［書類名］    実用新案登録請求の範囲
［請求項１］
タイマーを備えた電動装置にて、設定時刻にペット類に餌を与える給餌装置に於いて多数個の餌箱の餌排出口は下部縦面に有り、多数個の餌箱の外周は排出口を塞ぐ４角の外ケースを有しバネ板で掛止めされ餌箱は保持される、餌排出時は掛止めが解除され餌箱が所定位値まで下がると排出口が確保され餌が排出される、餌箱と外ケースは、装置本体から外して持ち去り別場所で餌の補充が出来る事を特徴とする給餌装置。
［請求項２］
金属太線コイルのパイプを本体より長めに設置し、その中に電源コードを通すことを特徴とする、請求項１記載の給餌装置。
［請求項３］
タイマー設定時の動作確認及び通常使用時の餌排出時に、メロディーを発生させることを特徴とする、請求項１記載の給餌装置。
0003115238.tif 000005
0003115238.tif 000006
0003115238.tif 000007
(57)【要約】      （修正有）【課題】シート状物を掲示するために保持する器具で、該シート状物を傷つけたり汚したりすることなく、迅速容易にシート状物を取り付けたり取り外したりできる。【解決手段】紙面手前側がシート状物３表側（前側）である。該シート状物を緩やかに挟む２枚の前側挟持片１及び後側挟持片２を設ける。上記の前側挟持片１よりも後側挟持片２の方が、寸法差ｈだけ背が高い。これにより、双方の挟持片の間にシート状物３を差し込む操作が容易である。この図では隠れているが、後側挟持片２の後面に両面粘着テープが貼着されていて、このシート保持具を壁面などに粘着させて取り付けられるようになっている。【選択図】図１
0003115245.tif 000002
【実用新案登録請求の範囲】
【請求項１】
シート状物（３）を掲示するための保持具において、
使用状態で上記シート状物の表側に位置する平板状の前側挟持片（１）と、シート状物の裏側に位置する平板状の後側挟持片（２）とを具備していて、
両者がミリメートル単位の間隔で略平行に対向しており、
前記前側挟持片（１）の上端よりも後側挟持片（２）の上端の方が上方に位置していることを特徴とする、シート保持具。
【請求項２】
前記後側挟持片（２）の後面に両面粘着テープ（４）が貼着されていて、当該保持具を所望の箇所に粘着させて取り付け得るようになっていることを特徴とする、請求項１に記載したシート保持具。
【考案の詳細な説明】
【技術分野】
【０００１】
本考案は、シート状物を保持して掲示するための簡単な保持具に関するものである。
【背景技術】
【０００２】
例えば写真，ポスター，名札，説明カードなど、シート状の物品を掲示するために保持する方法として、従来一般に（イ）額縁に入れる方式、（ロ）画鋲で止め付ける方式、（ハ）セロテープ（登録商標）で貼付ける方式、（ニ）糊で張り付ける方式などが知られていて広く用いられている。
【特許文献１】特開２０００−７１６６２号公報
【考案の開示】
【考案が解決しようとする課題】
【０００３】
前記（イ）項の額縁に入れる方式は、額縁が高価である上に、シート状物を額縁に入れたり額縁から出したりする操作に手数が掛かり、シート状物の交換が容易でないという不具合が有る。
前記（ロ）項の画鋲で止め付ける方式は、掲示物であるシート状物に孔を開けてしまう上に、硬い壁などには取り付けられないという不具合が有る。
前記（ハ）項のセロテープ（登録商標）で貼り付ける方式は、シート状物や壁面に汚れを残す虞れが有る。
前記（ニ）項の糊張り方式は、一旦張り付けたら剥がすのが困難であり、苦労して剥がしても、跡に傷や汚れを残すという不具合が有る。
【０００４】
本考案は上述の事情に鑑みて為されたものであって、その目的とするところは、掲示物であるシート状物や壁面などに傷や汚れを残すことなく、迅速容易に該シート状物を掲示することができ、シート状物の交換もよういなシート保持具を提供するにある。
【課題を解決するための手段】
【０００５】
上記の目的を達成するために創作した請求項１に係る考案器具の構成は、シート状物３を掲示するための保持具におて、
使用状態で上記シート状物の表側に位置する平板状の前側挟持片１と、シート状物の裏側に位置する平板状の後側挟持片２とを具備していて、
両者がミリメートル単位の間隔で略平行に対向しており、
前記前側挟持片１の上端よりも後側挟持片２の上端の方が上方に位置していることを特徴とする。 
【０００６】
請求項２に係る考案器具の構成は、前記請求項１の考案器具の構成要件に加えて、
前記後側挟持片２の後面に両面粘着テープ４が貼着されていて、当該保持具を所望の箇所に粘着させて取り付け得るようになっていることを特徴とする。
【考案の効果】
【０００７】
請求項１の考案を適用すると、前側挟持片と後側挟持片とが僅かな間隙で平行に対向しているので、その間に掲示物であるシート状物を迅速容易に差し込むことができる。
特に、前側挟持片よりも後側挟持片の方が背が高いので、シート状物の差し込みが極めて容易である。
更に、該シート状物を抜き出したり交換したりすることも容易である。  
【０００８】
請求項２請求項２の考案を適用すると、シート状物を挟持した保持具を即時的に、かつ手軽に壁面などに粘着させて取り付けたり取り外したりすることができるので非常に便利である。        
【考案を実施するための最良の形態】
【０００９】
図１は本考案の１実施形態を示す外観斜視図である。
前側挟持片１は平板状の構成部分であって、シート状物３を保持した状態で、該シート状物の前側に位置する。前側とは、シート状物を掲示して見せる側を言い、図において紙面の手前側である。
後側挟持片２は平板状の構成部分であって、シート状物３を保持した状態で、該シート状物の後側に位置する。
【００１０】
本実施形態において上記双方の挟持片（１，２）の間隔寸法ｔは約１．５ミリメートルである。本考案を実施する際、この間隔寸法ｔはシート状物の厚さ寸法よりも若干厚めに設定すると好都合である。一般的には数ミリメートルていどが望ましい。
前記前側挟持片１の上端よりも後側挟持片２の上端の方が上方に位置している。つまり背が高い。このように構成すると、前後の挟持片（１，２）の間にシート状物３を差し込む操作が一層容易である。
【００１１】
図２は上記実施形態に係るシート保持具の背面を描いた外観斜視図である。後側挟持片２の後面に小片の両面粘着テープ４が貼着されて、離型紙で覆われている。該離型紙を剥がして、壁面など所望の箇所に粘着させて、即時的に、かつ容易に取り付けることができる。
（図１参照）本実施形態のシート保持具は、透明なプラスチックで構成した。これにより、シート状物３の１部分が隠されることなく、その全面を見せることができる。
【図面の簡単な説明】
【００１２】
【図１】本考案に係るシート保持具の１実施形態を示し、シート状物を保持している状態を前側から見て描いた斜視図
【図２】上記実施形態のシート保持具を後側から見て描いた斜視図
【符号の説明】
【００１３】
１…前側挟持片
２…後側挟持片
３…シート状物
４…両面粘着テープ
ｈ…挟持片の高さの差寸法
ｔ…挟持片の間隔寸法
【図１】
0003115245.tif 000003
【図２】
0003115245.tif 000004
(57)【要約】      （修正有）【課題】綴じ込んだ書類等からゼムクリップが簡単に脱落しないようにし、綴じ込んだ書類等がばらばらにならないようにする。【解決手段】従来より、数多く使用されているゼムクリップの両先端部に、綴じ込む書類等を強く押さえ込むように、Ｖ字形又は逆Ｖ字形に曲げ押し加工を施して、綴じ込んだ書類等の表面を確りと押さえ込んで、ゼムクリップが簡単に書類等より脱落しないように改造することで、綴じ込んだ書類等からゼムクリップが脱落して、書類等がばらばらに成る事を少なくする。【選択図】図３
0003115246.tif 000002
【実用新案登録請求の範囲】
【請求項１】
従来より、多く使用されているゼムクリップの両先端部に、Ｖ字形状と逆Ｖ字形状の対称的な形状に成るよう、曲げ押し加工を施して、綴じ込む書類等の両面を、確りと押さえ込むようにしたゼムクリップの形状で、Ｖ字の一辺が２ミリないし３ミリ程度として、内角を１２０度前後としたＶ字形状を設けたゼムクリップの構造。
【請求項２】
従来より、多く使用されているゼムクリップの内巻側先端部に、Ｖ字形状に曲げ押し加工を施して、綴じ込む書類等の表面を確り押さえ込むようにした、ゼムクリップの形状でＶ字の一辺が２ミリないし３ミリ程度として、内角を１２０度前後としたＶ字形状を設けたゼムクリップの構造。
【考案の詳細な説明】
【技術分野】
【０００１】  本考案は、事務用に多く使用されているゼムクリップに係るものである。
【背景技術】
【０００２】  従来より長年使用されてきた事務用のゼムクリップは、書類等を整理してゼムクリップを以って綴じ込んでも、綴じ込んだ書類等をかたづけるために整理している時、知らない間に、ゼムクリップが書類等から脱落していて、書類等がばらばらになることをよく経験させられた。特に綴じ込む書類等の枚数が少ない時等によく発生した。
【考案の開示】
【考案が解決しようとする課題】
【０００３】  書類等を整理して、ゼムクリップによって綴じ込んだ書類等を、多人数の会議用に作成した時などによく経験する。このような綴じ込んだ書類等を、ゼムクリップが書類等からの脱落によって、書類等がばらばらになる事を、出来る限り無くす事を目的とすることにある。
【課題を解決するための手段】
【０００４】  従来より、多く使用されてきたゼムクリップに於いて、ゼムクリップの両先端部にＶ字形状と逆Ｖ字形状の対称的な形状になるように、曲げ押し加工を施して、綴じ込む書類等を両面から確りと押さえ込むようにした。ゼムクリップの形状でＶ字の一辺が２ミリないし３ミリ程度として、内角を１２０度前後の形状をしたゼムクリップを設ける事で、本考案の目的を達する事が出来る。【０００５】  併し、本考案のゼムクリップには、機能上で表と裏が発生する。従来から使用されているゼムクリップでは、どちらの面でも書類等を綴じ込む事が出来るが、本考案の場合においては、曲げ加工の方向によって、本考案の効果を発揮しないため、書類等を綴じ込む方向が指定されるが、使用時に両先端部の曲げ方向を確認して使用すれば、書類等を確りと綴じ込むことが出来るのである。【０００６】  本考案の本来の目的は、従来から使用しているゼムクリップの両先端部に、曲げ加工を施して、書類等を確り綴じ込むことにあったが、ゼムクリップの内巻側先端部だけの加工にても、書類等の綴じ込み力が少し弱く成るが、確り綴じ込むことが解った。この項目についても、上記のように使用時に方向性が生じる。
【考案の効果】
【０００７】  図面を以って説明すると、図１での従来からあるゼムクリップに、図２に記載したように、ゼムクリップの外巻側先端部１と、内巻側先端部２の両先端部に、上記で説明の寸法で、３．４．５．６と曲げ押し加工を行う事により、書類等７の両面を３．４の曲げ部に依って、確りと綴じ込む事が出来る。【０００８】  尚、ゼムクリップの外巻側先端部８に付いては、従来の形状のままにして、内巻側先端部９に付いては、上記で説明したように１０．１１と曲げ押し加工を行う事で、書類等の綴じ込み力は減退するものの、確りと綴じ込む事が出来る。
【考案を実施するための最良の形態】
【０００９】  従来より多く使用されている、図１に記載のようなゼムクリップを、金型を用いて両先端部を、プレス機械による曲げ押し加工を行うか、ゼムクリップをスプリング巻線機で加工する時に、同時加工にて製造することで、加工上での問題は解決する。
【実施例】
【００１０】  上記のようにして、加工された図２のゼムクリップと、図４のゼムクリップに依って書類等を綴じ込じ込む時、ゼムクリップの方向性に気を付けて、書類等を綴じ込む必要が有るが、ゼムクリップの脱落に依って、書類等がばらばらに成る事を減少させる効果を発揮する。
【図面の簡単な説明】
【００１１】
【図１】従来より使用されているゼムクリップの平面図と側面図。
【図２】本考案による両先端部を曲げ押し加工したゼムクリップの平面図と側面図。
【図３】図２のゼムクリップで書類等を綴じ込んだ部分平面図と側面図。
【図４】ゼムクリップの内巻側先端部だけの曲げ押し加工図の平面図と側面図。
【図５】図４のゼムクリップで書類等を綴じ込んだ部分平面図と側面図。
【符号の説明】
【００１２】      １    外巻側先端部。
２    内巻側先端部。
３    ゼムクリップ先端部の曲げ押し部。
４    ゼムクリップ先端部の曲げ押し部。
５    ゼムクリップ先端部の曲げ押し部。
６    ゼムクリップ先端部の曲げ押し部。
７    綴じ込む書類等。
８    図４に於けるゼムクリップの外巻側先端部。
９    図４に於けるゼムクリップの内巻側先端部。
１０    ゼムクリップ先端部の曲げ押し部。
１１    ゼムクリップ先端部の曲げ押し部。
【図１】
0003115246.tif 000003
【図２】
0003115246.tif 000004
【図３】
0003115246.tif 000005
【図４】
0003115246.tif 000006
【図５】
0003115246.tif 000007
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
ゼムクリップの両先端部に、Ｖ字形状と逆Ｖ字形状の対称的な形状に成るよう、曲げ押し加工を施して、綴じ込む書類等の両面を、確りと押さえ込むようにしたゼムクリップの形状で、Ｖ字の一辺が２ミリないし３ミリ程度として、内角を１２０度前後としたＶ字形状を設けたゼムクリップの構造。
【請求項２】
ゼムクリップの内巻側先端部に、Ｖ字形状に曲げ押し加工を施して、綴じ込む書類等の表面を確り押さえ込むようにした、ゼムクリップの形状でＶ字の一辺が２ミリないし３ミリ程度として、内角を１２０度前後としたＶ字形状を設けたゼムクリップの構造。